(57)【要約】【課題】収納用袋の開口部を開いた状態に保持することを可能とする自動包装機を提供すること、更には収納用袋全体を膨らんだ状態にし、包装用容器を容易に収納することを可能とする自動包装機、更にはエアで吹き飛ばした塵埃を効率的に除去すると共に衛生面でも優れた自動除塵包装機を提供すること。【解決手段】袋開口部保持部材や棒体及び支持体により収納用袋を押し開くようにした。又収納用袋内にエアを吹き込むようしにた。包装用容器の上部からエアを吹付け塵埃を防菌性を有する液体で捕獲するようにした。【選択図】　図１
2004026186.tif 000002
【特許請求の範囲】
【請求項１】
収納用袋の開口部を支持すると共に包装用容器を支持する支持体１０と、
包装用容器を堰き止めると共に収納用袋の開口部を開いた状態に保持するための回動運動を行う袋開口部保持部材３０と、
を設けたことを特徴とする自動包装機。
【請求項２】
収納用袋の開口部を支持すると共に包装用容器を支持する支持体１１及び包装用容器を下部から支持するための棒体５ａを上下動自在に設けたこと、
上端に収納用袋を押さえるための爪部３１ａを有する袋開口部保持部材３１を設けたこと、
を特徴とする自動包装機。
【請求項３】
袋開口部保持部材３０に代え、上端に収納用袋を押さえるための爪部３１ａを有し、且つ、上下動自在な袋開口部保持部材３３を設けたことを特徴とする請求項１記載の自動包装機。
【請求項４】
袋開口部保持部材３０に代え、先端に収納用袋を押さえるための爪部３２ａを有し、且つ、スライド自在な袋開口部保持部材３２を設けたことを特徴とする請求項１記載の自動包装機。
【請求項５】
収納用袋に対してエアを吹付けるためのエア送り込み部材４０を装着したことを特徴とする請求項１、２、３又は４に記載の自動包装機。
【請求項６】
エアを吹き付けることで包装用容器に付着した塵埃を除去する働きをなすエア吹付け部材を設けると共に、エアによって落下せしめられた塵埃を吸着する性質を有すると共に抗菌性・防腐性を有する液体を入れた容器を装備した請求項１、２、３、４又は５に記載の自動包装機。
【請求項７】
支持体を伸縮自在にすると共に該支持体に係止部を設けたことを特徴とする請求項１、２、３、４、５又は６に記載の自動包装機。
【発明の詳細な説明】
【０００１】
【発明の属する技術分野】
本発明は包装用容器を収納用袋に容易に収納することを可能とする自動包装機及び、包装用容器殊に樹脂性包装用容器の製造工程において容器に付着した塵埃や異物を除去すると共に、塵埃を除去した包装用用器を収納袋に容易に収納することを可能とする自動包装機に関する。
【０００２】
【従来の技術】
製造ラインを通して製造されてきた包装用容器は通常手作業によって搬出するための収納用袋に収納されていた。
【０００３】
また、樹脂性包装用容器の製造工程においては塵埃自体や樹脂性包装用容器の表面に静電気が発生する。係る静電気等により樹脂性包装用容器の表面に塵埃や異物が付着しがちであり、この塵埃や異物を除去するためにの装置が生産ラインに装備されることがある。
【０００４】
係る塵埃除去装置は、樹脂性包装用容器の上部周辺からエアを吹付け塵埃を吹き飛ばすという手段を有する。出願人は先に係る塵埃除去装置として特願２００１−３５４４３１を提案した。この発明はエアで塵埃を除去すると共に、包装用用器を堰き止めておく堰き止め部材を起倒させることで包装用容器を収納する収納用袋を押さえ、容易に収納搬出することを可能とするものである。
【０００５】
【発明が解決しようとする課題】
本発明は包装用容器を収納用袋に容易に収納することを可能とするため収納用袋の開口部を開いた状態に保持することを可能とする自動包装機を提供すること、更には収納用袋全体を膨らんだ状態にし、包装用容器を容易に収納することを可能とする自動包装機、更には上述の先願出願の改良発明であり、エアで吹き飛ばした塵埃を効率的に除去すると共に衛生面でも優れた自動除塵包装機を提供することを目的とする。
【０００６】
【課題を解決するための手段】
請求項１記載の発明は収納用袋の開口部を支持すると共に包装用容器を支持する支持体と、包装用容器を堰き止めると共に収納用袋の開口部を開いた状態に保持するための回動運動を行う袋開口部保持部材とを設けたことを特徴とする。
【０００７】
又、請求項２記載の発明は収納用袋の開口部を支持すると共に包装用容器を支持する支持体及び包装用容器を下部から支持するための棒体を上下動自在に設け、更に上端に収納用袋を押さえるための爪部を有する袋開口部保持部材を設けたことを特徴とする。
【０００８】
又、請求項３記載の発明は請求項１記載の発明における袋開口部保持部材を、上端に収納用袋を押さえるための爪部を有し、且つ、上下動自在なものにした。
【０００９】
又、請求項４記載の発明は請求項１記載の発明における袋開口部保持部材を、先端に収納用袋を押さえるための爪部を有し、且つスライド自在なものにした。
【００１０】
又、請求項５記載の発明は請求項１、２、３又は４記載の発明において収納用袋にエアを送風するためのエア送り込み部材を設けたことを特徴とする。
【００１１】
又、請求項６記載の発明は請求項１、２、３、４又は５記載の発明において、エアを吹付けることで包装用容器に付着した塵埃を除去する働きをなすエア吹付け部材を設けると共に、エアによって落下せしめられた塵埃を吸着する性質を有すると共に抗菌性・防腐性を有する液体を入れた容器を装備せしめた。
【００１２】
又、請求項７記載の発明は請求項１、２、３、４、５又は６記載の発明において支持体を伸縮自在にすると共に、該支持体に収納用袋を係止するための係止部を設けた。
【００１３】
以下かように構成される本発明が如何に課題を解決するかを図面を参照しながら述べる。
【００１４】
図１は請求項１記載の発明の概略斜視図であり、図２は請求項１記載の発明の実施状態を示す概略斜視図であり、図３は請求項１記載の発明における袋開口部保持部材付近の概略斜視図であり、図４は請求項１記載の発明における袋開口部保持部材を回動させた状態を示す概略斜視図であり、図５は請求項２記載の発明における袋開口部保持部材付近の概略斜視図であり、図６は請求項２記載の発明における棒体及び支持体を上方に移動させたさせた状態を示す概略斜視図であり、図７は請求項３記載の発明における袋開口部保持部材付近の概略斜視図であり、図８は請求項３記載の発明における袋開口部保持部材を下方に移動させた状態を示す概略斜視図であり、図９は請求項４記載の発明における袋開口部保持部材付近の概略斜視図であり、図１０は請求項４記載の発明における袋開口部保持部材を側方に移動させたさせた状態を示す概略斜視図であり、図１１は請求項５記載の発明の概略斜視図であり、図１２は請求項６記載の発明の概略斜視図であり、図１３は請求項７記載の発明における支持体の一実施例を示す斜視図であり、図１４は請求項７記載の発明における支持体の他の実施例を示す斜視図である。
【００１５】
請求項１記載の発明は支持体１０に収納用袋２を被せて使用するものである。すなわち、支持体１０が収納用袋２の内部に入る形で収納用袋を装着する。そして、袋開口部保持部材３０で堰き止められた包装用容器４は袋開口部保持部材３０を回動させて堰き止められた状態を解放し、収納用袋２内に収納されていくものである。
【００１６】
この際、図４に示す回動させられた袋開口部保持部材３０の横棒３０ａが収納用袋２を内部から押し張り、これにより収納用袋２の開口部を開いた状態に保持することを可能とするのである。
【００１７】
請求項２記載の発明においても支持体１１に収納用袋２を装着すること、袋開口部保持部材３１で包装用容器を堰き止めることは請求項１記載の発明と同様である。
【００１８】
請求項２記載の発明においては、支持体１１及び棒体５ａが上下動をなすものである。図５に示す堰き止め可能な状態から支持体１１及び棒体５ａを上方に移動せしめ、図６に示す堰き止められた状態を解放した状態に移行させると、袋開口部保持部材３１の爪部３１ａが収納用袋を内部から下方に押し張り、また支持体１１及び棒体５ａが収納用袋を内部から上方に押し張ることになる。これにより収納用袋２の開口部を開いた状態に保持することを可能とするのである。
【００１９】
請求項３記載の発明においても支持体１０に収納用袋２を装着すること、袋開口部保持部材３３で包装用容器を堰き止めることは請求項１記載の発明と同様である。
【００２０】
請求項３記載の発明においては、袋開口部保持部材３３が上下動をなすものである。図７に示す堰き止め可能な状態から袋開口部保持部材３３を下方に移動せしめ、図８に示す堰き止められた状態を解放した状態に移行させると、袋開口部保持部材３３の爪部３３ａが収納用袋を内部から下方に押し張り、これにより収納用袋２の開口部を開いた状態に保持することを可能とするのである。
【００２１】
請求項４記載の発明においては、袋開口部保持部材３２が包装用容器に対して平行方向にスライド自在なものである。
【００２２】
図９に示す堰き止め可能な状態から袋開口部保持部材３２を側方に移動せしめ、図１０に示す堰き止められた状態を解放した状態に移行させると、袋開口部保持部材３２の爪部３２ａが収納用袋を内部から側方に押し張ることになる。これにより収納用袋２の開口部を開いた状態に保持することを可能とするのである。
【００２３】
請求項５記載の発明においては収納用袋にエアを送風するためのエア送り込み部材４０を設けた。収納用袋内にエアを吹付けることで収納用袋全体を膨らんだ状態にし、包装用容器を容易に収納することを可能とするのである。
【００２４】
請求項６記載の発明においては図１２に示すようエア吹付け部材６が包装用容器の上部からエアを吹付け塵埃を落下させるものである。塵埃は吸着性を有すると共に抗菌性・防腐性を有する液体を入れてある塵埃箱９の中に落下せしめられていくのである。かように吸着性を有する液体により効率的に塵埃を除去すると共に抗菌性・防腐性により雑菌の繁殖の防止も可能となり衛生面においても優れたものとなるのである。
【００２５】
請求項７記載の発明においては支持体を伸縮自在にすると共に該支持体に係止部を設けた。支持体を伸縮自在にすることで収納用袋の内側奥方まで支持体を緩挿させることが可能となり、更には係止部に収納用袋を係止させることで収納用袋をよりよく支持することが可能となるのである。
【００２６】
【発明の実施の形態】
以下好ましい発明の一実施形態につき図面を参照しながら述べる。
【００２７】
図１に示すように請求項１記載の発明に係る自動包装機は棒体５、支持体１０、袋開口部保持部材３０、及び枠体５０を主な構成部材とする。
【００２８】
棒体５は包装用容器を載置するためのものである。
【００２９】
支持体１０は包装用容器を支持すると共に収納用袋を内側から支持するための棒体である。
【００３０】
枠体５０は以上の各部材を収納、取り付けあるいは支持するための箱体である。
【００３１】
請求項１記載の発明の構成要素である袋開口部保持部材３０は台部６０に棒体３０ｂを立設したものである。この棒体３０ｂには横棒３０ａが設けてある。
【００３２】
この棒体３０ｂは回動自在なものであり、棒体３０ｂの回動運動により横棒３０ａが図３に示すように包装用容器を堰き止める働きをなし、或いは図４に示すように収納用袋を押し張る作用をなすものである。
【００３３】
請求項２記載の発明の構成要素である袋開口部保持部材３１は台部６０に棒体３１ｂを立設したものである。この棒体３１ｂの上端は屈曲され爪部３１ａが設けてある。
【００３４】
請求項３記載の発明の構成要素である袋開口部保持部材３３は台部６１に棒体３３ｂを立設したものである。この棒体３３ｂの上端は屈曲され爪部３３ａが設けてある。
【００３５】
袋開口部保持部材３３は上下動自在なものでありこの上下動により袋開口部保持部材３３の爪部３３ａが図７に示すように包装用容器を堰き止める働きをなし、或いは図８に示すように収納用袋を押し張る作用をなすものである。
【００３６】
請求項４記載の発明の構成要素である袋開口部保持部材３２は台部６２に棒体３２ｂを立設したものである。この棒体３２ｂにはＬ字型の爪部３２ａが設けてある。
【００３７】
この棒体３２ｂはスライド自在なものであり、棒体３２ｂのスライド運動により爪部３２ａが図７に示すように包装用容器を堰き止める働きをなし、或いは図８に示すように収納用袋を押し張る作用をなすものである。
【００３８】
請求項５記載の発明においては図１１に示すように枠体５０の側壁にエア送り込み部材４０が装備してある。エア送り込み部材４０のノズルの先端からは外部から導入されるエアが送出されるものである。エア送り込み部材４０のノズルの先端は収納用袋を支持体に装着した際の収納用袋の開口部付近にくるように設置してある。
【００３９】
請求項６記載の発明においては図１２に示すようにエア吹付け部材６、静電気除去用ガン７、取り付け部材８及び塵埃箱９が新たな構成要素として加わる。
【００４０】
エア吹付け部材６はコンプレッサー等から導入された圧縮空気を棒体５上に載置された包装用容器に吹付けるためのものである。静電気除去用ガン７は棒体５上に載置された包装用容器に帯電した静電気を除去するためのものである。エア吹付け部材６及び静電気除去用ガン７は取り付け部材８に取り付けられている。ここに取り付け部材８は往復運動を行うものであり、これにより棒体５上に載置された包装用容器全体に対して除塵作業を行うことが可能となる。
【００４１】
塵埃箱９内に水やアルコール・油その他の液体が入れられており、吹き降ろされてくる塵埃を吸着するものである。この液体は塵埃を吸着するための性質のみならず雑菌の繁殖を防止する性質を併せもたすために防腐剤や抗菌剤を含有せしめたものを使用する。
【００４２】
請求項７記載の発明における支持体１２は図１３ａ、図１３ｂ、図１４ａ及び図１４ｂに示すように筒体１２ａと棒体１２ｂの二重構造となっており、筒体１２ａ内に棒体１２ｂが収納されるものである。棒体１２ｂが図１３ａ、図１４ａに示すように伸出し、或いは図１３ｂ、図１４ｂに示すように収納されることで支持体１２は伸縮自在なものとなるのである。
【００４３】
棒体１２ｂには図１３ａに示すような凸環である係止部１３ａや図１４ａに示すような凹溝である係止部１３ｂが設けてある。
【００４４】
【発明の効果】
本発明は以上のように構成されていることから包装用容器を収納用袋に容易に収納することを可能とするため収納用袋の開口部を開いた状態に保持することを可能とする自動包装機を提供すること、更には収納用袋全体を膨らんだ状態にし、包装用容器を容易に収納することを可能とする自動包装機、更にはエアで吹き飛ばした塵埃を効率的に除去すると共に衛生面でも優れた自動除塵包装機を提供することが可能となるのである。
【図面の簡単な説明】
【図１】請求項１記載の発明の概略斜視図。
【図２】請求項１記載の発明の実施状態を示す概略斜視図。
【図３】請求項１記載の発明における袋開口部保持部材付近の概略斜視図。
【図４】請求項１記載の発明における袋開口部保持部材を回動させた状態を示す概略斜視図。
【図５】請求項２記載の発明における袋開口部保持部材付近の概略斜視図。
【図６】請求項２記載の発明における棒体及び支持体を上方に移動させたさせた状態を示す概略斜視図。
【図７】請求項３記載の発明における袋開口部保持部材付近の概略斜視図。
【図８】請求項３記載の発明における袋開口部保持部材を下方に移動させたさせた状態を示す概略斜視図。
【図９】請求項４記載の発明における袋開口部保持部材付近の概略斜視図。
【図１０】請求項４記載の発明における袋開口部保持部材を側方に移動させたさせた状態を示す概略斜視図。
【図１１】請求項５記載の発明の概略斜視図。
【図１２】請求項６記載の発明の概略斜視図。
【図１３】ａ　請求項７記載の発明における支持体の一実施例を示す斜視図。
ｂ　棒体を収納した状態の斜視図。
【図１４】ａ　請求項７記載の発明における支持体の他の実施例を示す斜視図。
ｂ　棒体を収納した状態の斜視図。
【符号の説明】
１０、１１、１２・・支持体
１２ａ・・筒体　　　１２ｂ・・棒体
１３ａ、１３ｂ・・係止部　　　２・・収納用袋
３０、３１、３２、３３・・袋開口部保持部材
３０ｂ、３１ｂ、３２ｂ・・棒体
３０ａ・・横棒　　　３１ａ・・爪部　　　３２ａ・・爪部
４・・包装用容器　　　５・・棒体
６・・エア吹付け部材　　　７・・静電気除去用ガン
８・・取り付け部材　　　９・・塵埃箱
５０・・枠体　　　６０、６１、６２・・台部
【図１】
2004026186.tif 000003
【図２】
2004026186.tif 000004
【図３】
2004026186.tif 000005
【図４】
2004026186.tif 000006
【図５】
2004026186.tif 000007
【図６】
2004026186.tif 000008
【図７】
2004026186.tif 000009
【図８】
2004026186.tif 000010
【図９】
2004026186.tif 000011
【図１０】
2004026186.tif 000012
【図１１】
2004026186.tif 000013
【図１２】
2004026186.tif 000014
【図１３】
2004026186.tif 000015
【図１４】
2004026186.tif 000016